(57)【特許請求の範囲】
【請求項１】
眼底に存する血管に対し角膜外より計測光及びリファレンス光を照射するための照射手段と、該照射手段により照射された光の反射光を検出するための検出手段と、該照射手段の照射する光の光軸上にビームスプリッタとを有し、該照射手段の照射する光と異なる波長の光源により、文字列の画像を該ビームスプリッタを介して被検者に観察させることを特徴とする血糖計。
【請求項２】
前記文字列が血糖値であることを特徴とする請求項１に記載の血糖計。
【発明の詳細な説明】
【０００１】
【産業上の利用分野】
本発明は非観血式の血糖計に関する。
【０００２】
【従来技術】
非観血式の血糖計としては、従来指先や耳たぶ等の皮膚表面に赤外レーザー光を照射しその反射光や透過光を測定する経皮的測定が一般的である。しかしながら、このような従来技術の場合、皮膚が不透明でありかつ個人毎に色素の違いや脂肪量等の個人差もあるため、検出光にノイズが多く測定結果にばらつきが生じ不正確となる欠点を有していた。
【０００３】
これに対し、国際公開番号ＷＯ９３／０７８０１（特表平７−５０８４２６）号公報においては、眼の表面に赤外光を照射し、該照射光の反射光のスペクトルを検出することによって血液中のグルコース濃度を測定するための装置が開示されている。
【０００４】
【発明が解決しようとする課題】
しかしながら、前記ＷＯ９３／０７８０１号において直接測定されるのは、眼球中のグルコース濃度であるため、血液中のグルコース濃度、すなわち血糖値とは誤差が生じる場合が考えられる。すなわち、血糖値の変化から眼球中のグルコース濃度の変化までにはタイムラグが存在するため、食事の度に血糖値を測定し、インシュリン投与量等を調整する必要のある糖尿病患者に用いるには不具合があった。
【０００５】
本発明は上述の点に鑑み為されたものであり、眼底に存する血管を対象とすることで正確な血糖値を測定できる血糖計を提供することを目的とする。
【０００６】
【課題を解決する手段】
上述した本発明の目的は、眼底に存する血管に対し角膜外より光照射するための照射手段と、該照射手段により照射された光の反射光を検出するための検出手段とを有することを特徴とする血糖計によって達成される。
【０００７】
ここで、前記照射手段は、複数の種類の光を照射するものであることが望ましく、複数の種類の光とはリファレンス用の光と計測用の光であることが望ましい。
【０００８】
また、本発明の血糖計は、前記照射手段の照射する光の光軸上にビームスプリッタを配設し、該光照射に用いた光と異なる波長の光源により、文字列もしくは図形等の画像を該ビームスプリッタを介して被検者に観察させるものであることが望ましい。
【０００９】
【発明の実施の態様】
以下引き続き、本発明の血糖計の要旨をさらに明確にするため、図面を利用して実施の態様を説明する。
【００１０】
図１は本発明の一実施例における血糖計の概略構成図である。被検者が自らの被検眼球１で凸レンズ２及び、ビームスプリッタであるハーフミラー３ａ、３ｂを介して発光型文字表示板４を観察することにより、リファレンス光及び計測光を照射する照射手段である発光素子５より発したリファレンス光及び近赤外光はハーフミラー３ａ、３ｂ、凸レンズ２、角膜６及び水晶体７等を介して眼底８に達する。図１の如く発光型文字表示板４、リファレンス光及び近赤外光発光素子５及びリファレンス光及び計測光の反射光強度を検出する光センサ９各々は凸レンズ２の光軸上にあり、眼底８に到達した該リファレンス光及び近赤外光は眼底８で反射散乱し、水晶体７、角膜６、凸レンズ２、ハーフミラー３ａ、ミラー１３を介してリファレンス光及び近赤外光センサ９に自動的に到達する。
【００１１】
ここで、リファレンス光としては、血糖値の変化による影響を受けにくい波長６５０〜６７０ｎｍの可視光を用い、計測光は血糖値の変化によって反射光強度が敏感に変化する波長１０００〜１１００ｎｍの近赤外光を用いるのが好適である。光センサ９が２種類の光を識別するための手段としては、光センサ９をリファレンス光と計測光のそれぞれの波長のみを透過する波長フィルタ（図示せず）を設けたセンサアレイとする方式をとることができる。また、各光をそれぞれ異なる間隔でパルス発光させて、その間隔から両者を識別する方式をとることもできる。
【００１２】
図２は本発明の第２の実施例における血糖計を示す図である。本実施例における血糖計は、基本的に図１に示したものと同様の構成要素からなるため、各構成要素が同一のものについては同一の符号を付与し、被検眼球については省略する。図２においては、被検者が自らの被検眼球で凸レンズ２及びハーフミラー３ａ、３ｂおよびミラー１３を介して発光型文字表示板４を観察することにより、リファレンス光及び計測光を照射する照射手段である発光素子５より発したリファレンス光及び近赤外光はハーフミラー３ａ、３ｂ、ミラー１３、凸レンズ２、角膜６及び水晶体７等を介して眼底８に達する。図１の如く発光型文字表示板４、リファレンス光及び近赤外光発光素子５及びリファレンス光及び計測光の反射光強度を検出する光センサ９各々は凸レンズ２の光軸上にあり、眼底８に到達した該リファレンス光及び近赤外光は眼底８で反射散乱し、水晶体７、角膜６、凸レンズ２、ハーフミラー３ａを介してリファレンス光及び近赤外光センサ９に自動的に到達する。図２の構成においては、光センサ９に到達する光がハーフミラー３ａを透過したものでないため、ハーフミラーによる光の減衰が少なく、光センサ９の検出感度が向上する。
【００１３】
光センサ９より得られたリファレンス光及び計測光の反射光強度は演算処理回路１０により血糖値に変換され、発光型文字表示板４に血糖値が表示される。さらに、各素子や回路はレギュレータもしくはコンバータ１１を介して電池１２より電源供給される。なお、ハーフミラー３ａ、３ｂは光の利用効率を上げるためダイクロイックミラーやプリズムで構成されたビームスプリッタでもよく、血糖値の表示やデータは該血糖計外にデータ転送可能な仕組みのものでもよく、リファレンス光や計測光の波長や組成、本装置の形状大きさ及び構成は本発明の主旨に反しない限り任意である。
【００１４】
本発明の血糖計は、血糖値の眼底に存する血管を対象にして測定するものであり、眼底の血管壁は比較的透明であり光学的に直接血糖値が測定でき、さらにリファレンス光を用いることによりその精度を上げることができる。測定は瞳を介して外部より光照射しその反射光を測定するため位置精度が要求される。そのため光照射光軸上にハーフミラー等のビームスプリッタを配設し、該光照射に用いた光と異なる波長の光源により、文字列もしくは図形等の画像を該ビームスプリッタを介して該被検者に観察させ直接血糖値等を該文字列にて表示させることにより、被検者が該血糖値等を読めるように該血糖計をのぞき込めば正確に位置合わせができる。
【００１５】
【発明の効果】
以上の構成により、本発明の血糖計は、非侵襲で皮膚の色素等の影響を受けず、しかも応答のタイムラグが無いという効果を得ることができる。
【図面の簡単な説明】
【図１】本発明の一実施例に基づく血糖計の使用状態を側面からみた概略図である。
【図２】本発明の第２の実施例に基づく血糖計の側面概略図である。
【符号の説明】
１                眼球
２                            凸レンズ
３ａ、３ｂ      ハーフミラー
４              発光型文字表示板
５              リファレンス光及び近赤外光発光素子
６              角膜
７              水晶体
８              眼底
９              リファレンス光及び近赤外光センサ
１０              演算処理回路
１１              レギュレータもしくはコンバータ
１２              電池
１３              ミラー
【図１】
0003599878.tif 000002
【図２】
0003599878.tif 000003